(57)【特許請求の範囲】
【請求項１】
サッシ枠と障子を備え、サッシ枠は、室外側枠材及び室内側枠材と、室外側枠材と室内側枠材を連結する樹脂製の断熱材を有し、サッシ枠の内周側面に断熱材を覆う不燃材を有し、サッシ枠の内周側に補強材が取付けてあり、補強材により不燃材を押えていることを特徴とするサッシ。
【請求項２】
室内側枠材に補強材の室内側端部が係止する係止部を有することを特徴とする請求項１記載のサッシ。
【請求項３】
補強材は、長手方向の任意の位置にガス抜き部を有し、ガス抜き部の範囲内に断熱材が不燃材で覆われていない部分を設けてあることを特徴とする請求項１又は２記載のサッシ。
【請求項４】
サッシ枠と障子を備え、サッシ枠は、室外側枠材及び室内側枠材と、室外側枠材と室内側枠材を連結する樹脂製の断熱材を有し、サッシ枠の内周側面に断熱材を覆う不燃材を有し、サッシ枠の下枠は外レールと内レールを有し、下枠の内外レール間に補強材が取付けてあり、補強材は、内外レール間の下枠上面に当接する下枠上面当接部と、外レールの室内側面に沿って立ち上がる外レール補強部と、外レールの上部を受ける外レール受け部とを有し、下枠上面当接部を不燃材の上から下枠上面に当接して固着具で固定してあることを特徴とするサッシ。
【発明の詳細な説明】
【技術分野】
【０００１】
本発明は、防火性能を向上させたサッシに関する。
【背景技術】
【０００２】
従来より、サッシ枠の室内側に結露が生ずるのを防ぐために、サッシ枠を室外側枠材と室内側枠材に分割すると共に、室外側枠材と室内側枠材とをウレタン樹脂等の断熱材で連結したものがある。このような断熱性のサッシ枠を用いるサッシにおいては、火災が発生したときに断熱材が溶融して非常に燃えやすい可燃ガスが発生し、その可燃ガスがサッシ枠の内周側に入り込んで引火し、火が室外から室内へまたは室内から室外へ移るのを早めるおそれがある。
【発明の概要】
【発明が解決しようとする課題】
【０００３】
本発明は以上に述べた実情に鑑み、サッシ枠の室内側の結露を防止しつつ、防火性能を向上させたサッシの提供を目的とする。
【課題を解決するための手段】
【０００４】
上記の課題を達成するために請求項１記載の発明によるサッシは、サッシ枠と障子を備え、サッシ枠は、室外側枠材及び室内側枠材と、室外側枠材と室内側枠材を連結する樹脂製の断熱材を有し、サッシ枠の内周側面に断熱材を覆う不燃材を有し、サッシ枠の内周側に補強材が取付けてあり、補強材により不燃材を押えていることを特徴とする。
【０００６】
請求項２記載の発明によるサッシは、請求項１記載の発明の構成に加え、室内側枠材に補強材の室内側端部が係止する係止部を有することを特徴とする。
【０００７】
請求項３記載の発明によるサッシは、請求項１又は２記載の発明の構成に加え、補強材は、長手方向の任意の位置にガス抜き部を有し、ガス抜き部の範囲内に断熱材が不燃材で覆われていない部分を設けてあることを特徴とする。
【０００８】
請求項４記載の発明によるサッシは、サッシ枠と障子を備え、サッシ枠は、室外側枠材及び室内側枠材と、室外側枠材と室内側枠材を連結する樹脂製の断熱材を有し、サッシ枠の内周側面に断熱材を覆う不燃材を有し、サッシ枠の下枠は外レールと内レールを有し、下枠の内外レール間に補強材が取付けてあり、補強材は、内外レール間の下枠上面に当接する下枠上面当接部と、外レールの室内側面に沿って立ち上がる外レール補強部と、外レールの上部を受ける外レール受け部とを有し、下枠上面当接部を不燃材の上から下枠上面に当接して固着具で固定してあることを特徴とする。
【発明の効果】
【０００９】
請求項１記載の発明によるサッシは、室外側枠材と室内側枠材を樹脂製の断熱材で連結した構成により、サッシ枠の室内側の結露を防止することができ、サッシ枠の内周側面に断熱材を覆う不燃材を有することで、火災時に断熱材を保護することができる。さらに、火災時に断熱材が溶融して燃えやすい可燃ガスが発生しても、その可燃ガスがサッシ枠の内周側に入り込むのを不燃材により防ぐことができるので、延焼を防止できる。
【００１０】
さらに請求項１記載の発明によるサッシは、サッシ枠の内周側に補強材が取付けてあり、補強材により不燃材を押えているので、火災時に断熱材から発生する可燃ガスがサッシ枠の内周側に入り込もうとするのを不燃材と補強材とで二重に遮ることができ、さらに補強材により不燃材が補強されると共に、不燃材がサッシ枠内周側面から離脱するのを防止できる。また、補強材によりサッシ枠を補強し、火災時のサッシ枠の変形を抑えることもできる。
【００１１】
請求項２記載の発明によるサッシは、室内側枠材に補強材の室内側端部が係止する係止部を有することで、不燃材が室内側の縁まで補強材で確実に押えられ、火災時に断熱材から発生する可燃ガスがサッシ枠の内周側に入り込もうとするのをより一層確実に防止できる。また、補強材により火災時のサッシ枠の変形をより効果的に抑えられる。
【００１２】
請求項３記載の発明によるサッシは、補強材の長手方向の任意の位置にガス抜き部を有し、ガス抜き部の範囲内に断熱材が不燃材で覆われていない部分を設けてあるので、火災時に断熱材から発生する可燃ガスをそこから集中的に逃がすことができ、防火性能に影響の少ないところで可燃ガスを積極的に逃がすことで防火性能を向上できる。
【００１３】
請求項４記載の発明によるサッシは、室外側枠材と室内側枠材を樹脂製の断熱材で連結した構成により、サッシ枠の室内側の結露を防止することができ、サッシ枠の内周側面に断熱材を覆う不燃材を有することで、火災時に断熱材を保護することができる。さらに、火災時に断熱材が溶融して燃えやすい可燃ガスが発生しても、その可燃ガスがサッシ枠の内周側に入り込むのを不燃材により防ぐことができるので、延焼を防止できる。
さらに請求項４記載の発明によるサッシは、サッシ枠の下枠は外レールと内レールを有し、下枠の内外レール間に補強材が取付けてあり、補強材は、内外レール間の下枠上面に当接する下枠上面当接部と、外レールの室内側面に沿って立ち上がる外レール補強部と、外レールの上部を受ける外レール受け部とを有し、外レール補強部と外レール受け部とで火災時に外レールの位置が下に下がったり変形したりするのを抑えることができ、これにより外障子の脱落を防止できる。また、下枠の外レールが火災の熱で軟化したり溶けて消失したとしても、外レール補強部が外障子の下部に係合して外障子の脱落を防止できる。さらに、下枠上面当接部を不燃材の上から下枠上面に当接して固着具で固定してあるので、不燃材と下枠の圧着を維持できる。
【図面の簡単な説明】
【００１４】
【図１】図３のＡ−Ａ断面図である。
【図２】図３のＢ−Ｂ断面図である。
【図３】本発明のサッシの一実施形態を示す室外側正面図である。
【図４】同サッシの下枠の平面図である。
【図５】同サッシの縦断面図である。
【図６】同サッシの横断面図である。
【図７】下枠の排水部を拡大して示す図であって、（ａ）は平面図、（ｂ）は室外側正面図、（ｃ）はＣ−Ｃ断面図である。
【図８】下枠の水抜き孔と、水抜き孔に取付けられる耐火材取付部材及び耐火材を示す分解斜視図である。
【図９】火災時における図３のＡ−Ａ断面図である。
【図１０】下枠の排水孔を塞ぐための耐火材の取付け方の他の例を示す図であって、（ａ）は室外側正面図、（ｂ）はＤ−Ｄ断面図である。
【図１１】下枠の排水孔を塞ぐための耐火材の取付け方のさらに別の例を示す縦断面図であって、（ａ）は通常時の状態、（ｂ）は火災時の状態を示す。
【図１２】下枠の補強材にガス抜き部を設ける場合の例を示す下枠の平面図である。
【図１３】図１２のＥ−Ｅ断面図である。
【図１４】下枠の補強材を内レールの室内側で下枠に連結した実施形態を示す下枠の平面図である。
【図１５】図１４のＦ−Ｆ断面図である。
【発明を実施するための形態】
【００１５】
以下、本発明の実施の形態を図面に基づいて説明する。図１〜６は本発明のサッシの一実施形態を示している。本サッシは、躯体開口部に取付けたサッシ枠１と、サッシ枠１内に引違い状に開閉自在に収めた外障子２及び内障子３を備えている。
【００１６】
サッシ枠１は、上枠４と下枠５と左右の竪枠６，６とを四方枠組みして構成される。下枠５は、図１に示すように、アルミニウム合金の押出形材で形成した室外側下枠材５ａと室内側下枠材５ｂとを、ウレタン樹脂よりなる断熱材７で連結した構造になっている。室内側下枠材５ｂの上部には、樹脂製のアングル８が取付けてある。このように下枠５は、断熱材７と樹脂製アングル８により、室内側の結露を防止している。下枠５の上面は略フラットに形成され、外障子２を案内する外レール９と内障子３を案内する内レール１０とが、同一高さで上方に突出して形成されている。
下枠５の上面には、図１，４，７に示すように、下枠５の長手方向端部の外レール９の室内側の位置に水抜き孔１１が設けてあり、内外レール９，１０間に浸入した雨水や結露水は、水抜き孔１１より室外側下枠材５ａの中空部１２内に導かれる。また下枠５の室外側壁の下部には排水孔１３が設けてあり、中空部１２内の水は排水孔１３より室外に排水される。排水孔１３には、樹脂製の排水弁１４が取付けてあり、排水孔１３から雨風が吹き込むのを防止している。排水弁１４は、排水孔１３に嵌合保持されるケース１４ａと、ケース１４ａに軸支され室外側に回動して開く弁体１４ｂを有する。
【００１７】
下枠５の水抜き孔１１と排水孔１３に隣接する位置には、図１に示すように、加熱されると発泡して膨張し、水抜き孔１１と排水孔１３をそれぞれ塞ぐ耐火材１５，１６が設けてある。かかる熱発泡性の耐火材１５，１６は、市販品の中から適宜選択して用いることができ、例えば積水化学工業株式会社製の商品名「フィブロック」を用いることができる。これは、プラスチック技術を活用した有機系耐火材であり、通常の状態では柔軟な薄いシート状で、２００℃以上に加熱されると発泡して厚さ方向に５〜４０倍に膨張し、断熱層を形成する。火災時に消失することがなく、有害ガスが発生することもない。またフィブロックは、片面に剥離紙付きの接着層を有し、剥離紙を剥がして簡便に接着取付けできる。
この耐火材１５を設置するため水抜き孔１１には、図７，８に示すように、ステンレスの薄い板を折り曲げて形成した耐火材取付部材１７を上方から嵌め込んで取付けている。耐火材取付部材１７は、室外側と室内側に分割して形成され、各耐火材取付部材１７は水抜き孔１１に挿入されて中空部１２内に配置される平面視コ字形の挿入部１７ａと、挿入部１７ａの上縁から側方に張り出した係止片１７ｂを有し、耐火材１５は挿入部１７ａの長手方向の内面に予め貼り付けてある。中空部１２内の排水孔１３に隣接する位置には、Ｌ形断面の耐火材取付部材１８がネジ１９で取付けてあり、耐火材取付部材１８の下面に耐火材１６を貼り付けてある。
【００１８】
火災時には、図９に示すように、水抜き孔１１に取付けた耐火材取付部材１７の内面に対向して貼り付けた耐火材１５，１５が発泡して厚み方向に膨張し、室内外方向に押し合う形で水抜き孔１１を塞ぐ。また、排水孔１３に取付けた排水弁１４は火災の熱で溶けて消失するが、中空部１２内に排水孔１３の上方に隣接して取付けた耐火材取付部材１８の下面に貼り付けた耐火材１６が発泡して厚み方向に膨張し、中空部１２の底面に押付けられて排水孔１３が塞がれる。このように、火災時に下枠５の水抜き孔１１と排水孔１３が膨張した耐火材１５，１６で塞がれることで、下枠５の排水経路から熱風や煙などが室外から室内へ又は室内から室外へ侵入するのを阻止し、防火性能を向上することができる。水抜き孔塞ぎ用の耐火材１５は、耐火材取付部材１７に貼り付けた上で水抜き孔１１に対して中空部１２の外から取付けできるため、既存のサッシ枠の下枠５にも簡単に取付けることができる。耐火材１５，１６は、通常の状態では薄いシート状であり、且つ水抜き孔１１と排水孔１３の見込み方向に対して平行に配置してあるので、下枠５の排水性に影響を与えない。
【００１９】
図１０は、排水孔塞ぎ用の耐火材１６の取付け方の他の例を示している。この例では、排水孔１３の上方にコ字形断面の耐火材取付部材１８を下枠５の室外面に室外側からネジ１９で取付けてあり、耐火材取付部材１８の下面にシート状の耐火材１６を貼り付けてある。耐火材取付部材１８の室外側及び側面の開口部は、キャップ２０ａ，２０ｂを取付けて塞いである。火災時には、耐火材１６が発泡して厚み方向に膨張し、下枠５の水切片２１の上面に圧着して排水孔１３を外から塞ぐ。本実施形態によれば、排水孔塞ぎ用の耐火材１６も、既存のサッシ枠の下枠５に後付けすることができる。
【００２０】
図１１は、排水孔塞ぎ用の耐火材１６の取付け方のさらに別の例を示している。この例では、排水孔１３の上方にクランク状断面の耐火材取付部材１８を下枠５の室外面に室外側からネジ１９で取付けてあり、排水孔１３の室外側に間隔をおいて隣接する耐火材取付部材１８の内面に、シート状の耐火材１６を貼り付けてある。火災時には、耐火材１６が発泡して厚み方向に膨張し、下枠５の室外面に圧着して排水孔１３を外から塞ぐ。本実施形態によっても、排水孔塞ぎ用の耐火材１６を既存のサッシ枠の下枠５に簡単に後付けできる。
【００２１】
耐火材取付材１７，１８の材質は、特に限定されるものではないが、火災時に容易に溶融したり変形したりしない材質、ステンレスや鉄などの金属が好ましい。耐火材１５，１６は、上述の「フィブロック」に限定されず、熱により発泡して膨張する性質を有する耐火材であれば使用できる。
【００２２】
内外レール９，１０間の下枠５の上面には、図１に示すように、不燃シート２２が貼り付けてある。不燃シート２２は、下枠５の長手方向のほぼ全長にわたって設けてあり、水抜き孔１１の上方には孔を設けてある。不燃シート２２は、ガラス繊維、セラミック繊維等よりなるシート状の不燃材であり、火災時に下枠５の上面及び断熱材７を火炎から保護し、また下枠５の断熱材７が溶融・燃焼することで発生する可燃ガスを封じ込めることで、延焼を防止する働きがある。不燃シート２２としては、例えば新日化サーマルセラミックス株式会社製の商品名「スーパーウールペーパー」を使用することができる。この不燃シート２２は、ＳｉＯ２、ＣａＯ、ＭｇＯの繊維よりなる柔軟な薄いシートで、１０００℃以上の高温でも燃えない、破れにくい、熱衝撃性・断熱性に優れる、有害ガスを発生しないといった特徴を有する。不燃シート２２の下枠５上面への貼り付けには、難燃性の両面テープを用いている。
【００２３】
下枠５の内外レール９，１０間のうち、閉鎖した外障子２が位置する室内側から見てほぼ左半分の領域には、図１，４に示すように、ステンレス製の補強材２３が設けてある。補強材２３は、下枠５上面に当接する下枠上面当接部２３ａと、外レール９の室内側面に沿うように立ち上がる外レール補強部２３ｂと、外レール補強部２３ｂの上縁にあって外レール９が下に下がろうとしたときに外レール９の上部を受ける外レール受け部２３ｃを有し、下枠上面当接部２３ａを不燃シート２２の上から下枠５上面に当接し、長手方向に所定のピッチで下枠５にネジ２４で固定してある。内レール１０は、室内側下枠材５ｂの室外側端部に位置しており、内レール１０の付け根の部分には室外側が開口した溝状の係止部２５が形成してあり、補強材２３の下枠上面当接部２３ａの室内側端部が前記係止部２５内に差込まれている。外レール９の上端部には室内側に膨らむ突部２６を有し、補強材２３の外レール受け部２３ｃは突部２６の下方に隙間を開けた状態で位置している。補強材２３の下枠上面当接部２３ａと外レール補強部２３ｂ間には、室外側に向けて上向きに傾斜した傾斜部２３ｄを有している。
【００２４】
火災時にウレタン樹脂よりなる下枠５の断熱材７が溶融・燃焼すると非常に燃えやすい可燃ガスが発生するが、上述のように内外レール９，１０間の下枠５上面に不燃シート２２を貼り、断熱材７を不燃シート２２で覆ってあることで、断熱材７が不燃シート２２により火炎から保護され、また断熱材７が溶融・燃焼して可燃ガスが発生したとしても、可燃ガスがサッシ枠１の内周側に侵入するのを防ぐことができるので、火が室外から室内へ又は室内から室外へ移るのを防止し、防火性能を向上することができる。さらに、補強材２３の下枠上面当接部２３ａで不燃シート２２を押えていることで、断熱材７から生ずる可燃ガスがサッシ枠１の内周側に入り込もうとするのを不燃シート２２と下枠上面当接部２３ａとでより確実に遮ることができ、さらに下枠上面当接部２３ａで不燃シート２２が補強されると共に、不燃シート２２が下枠５上面から離脱するのを防止できる。
【００２５】
補強材２３は、上述のように不燃シート２２を補強・保護する働きに加え、火災時に下枠５の変形を抑え、外障子２の脱落を防止する働きがある。火災が発生すると、下枠５が火災の熱により軟化し、下枠５の外レール９には外障子２の自重と共に外障子２の竪框が火災の熱で伸びることによる下向きに押す力が働くため、外レール９の位置が下に下がったり変形したりしようとするが、本サッシは図９に示すように、補強材２３の外レール受け部２３ｃが外レール９上部の突部２６を受けることで、外レール９の位置が下に下がったり変形したりするのを抑えることができ、これにより外障子２の脱落を確実に防止できる。また、外レール９が火災の熱で軟化したり溶けて消失したとしても、外レール補強部２３ｂが外障子２の下部に係合して外障子２の脱落を防止できる。補強材２３は、下枠上面当接部２３ａと外レール補強部２３ｂ間に室外側に向けて上向きに傾斜した傾斜部２３ｄを有することで、補強材２３の強度が向上して下枠５の変形を抑える効果が高められ、また傾斜部２３ｄの下方の下枠５上面に水抜き孔１１を設けることで、内外レール９，１０間に溜まる雨水や結露水を良好に排水できる。さらに、補強材２３の室内側端部が内レール１０の根元に形成された係止部２５に係止することにより、補強材２３に下向き荷重を安定して支持できると共に補強材２３の浮き上がりが規制されるため、外障子２の脱落をより一層確実に防止できる。通常の状態では、図１に示すように、外レール９上部の突部２６と外レール受け部２３ｃとの間、内レール１０の付け根の係止部２５と補強材２３の室内側端部との間に若干隙間を設けているので、補強材２３を内外レール９，１０間に上方から簡単に取付けできる。
【００２６】
下枠５上面に貼る不燃シート２２は、先に述べた「スーパーウールペーパー」に限定されるものではなく、不燃材であれば何でもよく、例えば金属箔であってもよい。また不燃材２２はシート状に成形されたものに限らず、塗布するものであってもよい。不燃材２２は、下枠５の断熱材７を覆う部分にだけ設けてもよいが、実施形態のように内外レール９，１０間の幅全体を覆うように設けることで、補強材２３をがたつきなく安定して取付できるし、下枠５上面を火炎から保護し防火性能を一層高められる。
【００２７】
補強材２３の材質は特に限定されるものではないが、火災時に容易に溶融したり変形したりしない材質、ステンレスや鉄などの金属が好ましい。補強材２３は、外レール補強部２３ｂと外レール受け部２３ｃを有さず、単に、火災時に不燃材（不燃シート２２）を補強する板状のものであってもよいし、外レール補強部２３ｂに加え内レール１０の室外側面に沿う立ち上がり部を有するコ字形断面の部材であってもよい。内レール１０に沿う立ち上がり部を設ける場合、その高さは内障子３の下框のタイト材５３ａ（図２参照）と擦れないように、内レール１０の半分以下の高さにするのが好ましい。補強材２３を下枠に固定するのに、ネジ２４以外の固着具（例えばリベット等）を用いることもできる。
【００２８】
下枠５の内外レール９，１０間のうちの内障子３側には、図２，４に示すように、樹脂カバー２７が設置してある。樹脂カバー２７は、内レール１０の根元の係止部２５と外レール９の室内側面の中間部に形成された突起２８とに係止して取付けてある。このように、下枠５の内外レール９，１０間の内障子３側に樹脂カバー２７を設けることで、意匠性を向上できる。図４中の符号２９は内障子ストッパーであり、符号３０は外障子ストッパーであり、符号３１は内外障子２，３の召し合せ框下部と下枠５との隙間から雨風が浸入するのを防ぐシールピースである。
【００２９】
図１２，１３は、下枠５の補強材２３に、火災時に断熱材７から発生する可燃ガスを逃がすためのガス抜き部３２を設ける場合の例を示している。補強材２３は、下枠上面当接部２３ａの室内側の縁部に切り欠き３３を設け、その切り欠き３３をガス抜き部３２としている。ガス抜き部３２の範囲では、不燃シート２２にも補強材２３と同じ形状で切り欠き３４を設け、断熱材７を覆わないようにしている。ガス抜き部３２は、外障子２の幅方向の中間部に位置している。さらに、補強材２３の長手方向中間部には、室外側に水抜き用の切り欠き５９が設けてある。
下枠５の断熱材７が不燃シート２２によって全体的に覆ってあると、火災時に断熱材７から発生する可燃ガスの逃げ場がなく、不燃シート２２の切れ端にあたるサッシ枠１のコーナー部等から可燃ガスが噴き出すおそれがあり、サッシ枠１のコーナー部や障子２，３のコーナー部は特に火に弱いため、噴出した可燃ガスに引火することでサッシ枠１や障子２，３のコーナー部が損傷を受けるおそれがある。上述のように、下枠５の補強材２３と不燃シート２２とに切り欠き３３，３４を形成してガス抜き部３２を設けてあると、断熱材７から生ずる可燃ガスをガス抜き部３２から集中的に逃がすことができ、防火性能に影響の少ないところ（外障子２や内障子３の幅方向の中間部）から可燃ガスを積極的に逃がすことで、防火性能を向上することができる。
【００３０】
補強材２３に設けるガス抜き部３２は、上記のような切り欠きの他、孔を明けたりスリットを形成したりして設けることもできる。不燃シート２２は、補強材２３のガス抜き部３２の範囲内で断熱材７を覆っていない部分を設けてあればよく、不燃シート２２を部分的に切り欠いたり孔を明けたりする態様の他、ガス抜き部３２の両側で不燃シート２２を分断し、ガス抜き部３２の幅分だけ不燃シート２２を貼らないようにしてもよい。
【００３１】
図１４，１５は、補強材２３を内レール１０の室内側で下枠５に連結する連結材６０を設けた実施形態を示している。連結材６０はステンレスの板で形成してあり、補強材２３の長手方向の両端部に配置してあって、補強材２３の下枠上面当接部２３ａ上に当接してネジ６１で固定される本体部６０ａと、本体部６０ａより室内側に延出する延出部６０ｂを有しており、延出部６０ｂを内レール１０の下部に形成された水抜き孔６２に挿通してある。内レール１０よりも室内側の室内側下枠材５ｂの上面には、補強材２３と同じ板厚のステンレス板で水抜き孔６２よりも幅広に形成したベース材６３がネジ６４で取付けてあり、ベース材６３上に連結材６０の延出部６０ｂをネジ６５で固定してある。
【００３２】
火災時に下枠５の断熱材７が焼失し始めると、室外側下枠材５ａと室内側下枠材５ｂの間が開き、室外側下枠材５ａが室外側に倒れるように変形しようとするが、本実施形態のように補強材２３を連結材６０とベース材６３を介して室内側下枠材５ｂに連結してあることで、室外側下枠材５ａと室内側下枠材５ｂの間が開くのを防止し、室外側下枠材５ａが室外側に倒れるように変形するのを防止できる。また、補強材２３の室外側への移動が連結材６０により規制されるため、補強材２３の室内側端部を内レール１０の根元の係止部２５に係止する状態に維持できる。それに伴い、外レール９が下に下がるのも防止できるので、外障子２の脱落をより一層確実に防止できる。連結材６０は、内レール１０にもともと形成されている水抜き孔６２を利用することで、容易に設置することができ、既存のサッシの下枠５に連結材６０を後付けすることもできる。室内側下枠材５ｂに、内レール１０の水抜き孔６２よりも幅広のベース材６３を設置し、ベース材６３に連結材６０の延出部６０ｂをネジ６５で固定したので、火災時に連結材６０が室外側に引っ張られても、ベース材６３が水抜き孔６２に引っ掛かって抜けることがなく、連結材６０を室内側下枠材５ｂに強固に連結できる。また、補強材２３と同じ板厚のベース材６３を設置することで、連結材６０の室外側と室内側の取付け面の高さが一致し、連結材６０を安定して取付できる。
【００３３】
連結材６０とベース材６３の材質は特に限定されるものではないが、火災時に容易に溶融したり変形したりしない材質、ステンレスや鉄などの金属が好ましい。ベース材６３を設置せず、連結材６０の延出部６０ｂを室内側下枠材５ｂの上面に直接ネジ６５で固定してもよい。連結材６０は、室内外を逆にしたもの、すなわち連結材６０の延出部６０ｂを内レール１０の水抜き孔６２に室内側から挿入して補強材２３に固定し、水抜き孔６２よりも幅広の本体部６０ａを室内側下枠材５ｂに固定したものであってもよい。また連結材６０は、水抜き孔６２よりも狭い一定の幅で帯板状に形成されたものであってもよい。また、補強材２３を設置せず、内レール１０の水抜き孔６２に挿通した連結材６０を、室外側下枠材５ａの上面と室内側下枠材５ｂの上面とに直接ネジ６１，６５で固定しても、室外側下枠材５ａと室内側下枠材５ｂの間の開きを防止して外障子２の脱落を防止する効果が得られる。なお、図１４，１５には、内外レール９，１０間の下枠上面に不燃シート２２が記載されていないが、図１３と同様に不燃シート２２を設置することができる。
【００３４】
サッシ枠１の上枠４は、図５に示すように、アルミ合金の押出形材よりなる室外側上枠材４ａと室内側上枠材４ｂとを樹脂製の断熱材３９にカシメ連結してあり、室内側上枠材４ｂに樹脂製のアングル３５を係合取付けし、内外レール３６，３７間に樹脂製のカバー３８を係合取付けすることで、室内側の結露を防止している。上枠４の断熱材３９は、ナイロン樹脂にガラス繊維を混ぜたものを使用しており、ウレタン樹脂を用いた下枠５の断熱材７と比較して火災時に溶融・燃焼しにくく、断熱材３９から発生する可燃ガスによる影響は少ないため、下枠５のように断熱材３９を不燃シートで覆うことはしていない。なお、上枠４を火炎から保護するために上枠４の内周側面に不燃シートを貼ってもよい。また、上枠４の断熱材３９も下枠５と同様にウレタン樹脂である場合には、上枠の内周側面に不燃シートを貼り断熱材３９を覆うことで、防火性能を向上できる。
【００３５】
外障子２と内障子３は、図５，６に示すように、上框４０ａ，４０ｂと下框４１ａ，４１ｂと戸先框４２ａ，４２ｂと召し合せ框４３ａ，４３ｂを四周框組みし、その内周にガラス４４をグレージングチャンネル４５を介してを嵌め込んで取付けてある。ガラス４４は、複層ガラスを使用している。上框４０ａ，４０ｂと下框４１ａ，４１ｂと戸先框４２ａ，４２ｂは、室外側の部分がアルミで形成され、室内側の部分は樹脂で形成してあり、内障子３の召し合せ框４３ｂは樹脂製のカバー４６で室内側が覆われている。外障子２と内障子３は、框の室内側が樹脂で覆ってあることと複層ガラスを使用したことにより、室内側の結露を防止している。
【００３６】
戸先框４２ａ，４２ｂと召し合せ框４３ａ，４３ｂは、図６に示すように中空部５８を有しており、中空部５８内にはコ字形断面の補強材４７が長手方向のほぼ全長にわたって配置され、長手方向に所定のピッチでネジ４８により固定してある。補強材４７は、溶融亜鉛メッキ鋼板を折り曲げて形成している。このように補強材４７を設けることで、火災時における戸先框４２ａ，４２ｂと召し合せ框４３ａ，４３ｂの熱伸びとたわみを防止できる。
また、上框４０ａ，４０ｂと下框４１ａ，４１ｂと戸先框４２ａ，４２ｂと召し合せ框４３ａ，４３ｂの内周側のガラス保持溝４９内には、ステンレスの板をコ字形に曲げて形成したガラス間口補強材５０がグレージングチャンネル４５の外側を囲むように配置され、長手方向に所定のピッチでネジ５１により固定してある。ガラス間口補強材５０は、ガラス４４の周縁部を全周カバーしている。このようにガラス間口補強材５０を設けることで、框のガラス保持溝４９の室外側の壁や室内側の壁が火災の熱で溶けたとしても、ガラス４４が脱落するのを防止できる。
【００３７】
下框４１ａ，４１ｂは、図１，２に示すように、外周側にレール９，１０を呑み込む溝５２が形成してあり、溝５２の下縁に沿ってタイト材５３ａ，５３ｂが設けてあり、タイト材５３ａ，５３ｂの上方に加熱されると発泡して膨張する耐火材５７ａ，５７ｂが設けてある。耐火材５７ａ，５７ｂは、下框４１ａ，４１ｂの全長に連続して設けてある。火災時には、図９に示すように、耐火材５７ａ，５７ｂが膨張して下框４１ａ，４１ｂとレール９，１０間の隙間を塞ぐ。
戸先框４２ａ，４２ｂは、図６に示すように、外周側に竪枠６の突条５４を呑み込む溝５５が形成してあり、その溝５５の底面に加熱されると発泡して膨張する耐火材５７ｃが戸先框４２ａ，４２ｂの全長に連続して設けてあり、火災時にはこの耐火材５７ｃが発泡して膨張し、竪枠６と戸先框４２ａ，４２ｂ間の隙間を塞ぐ。
外障子２の召し合せ框４３ａの室内側面には、煙返し５６の近傍に加熱されると発泡して膨張する耐火材５７ｄが召し合せ框４３ａの全長に連続して設けてあり、火災時にはこの耐火材５７ｄが発泡して膨張し、内外障子の召し合せ框４３ａ，４３ｂ間の隙間を塞ぐ。上記の各耐火材５７ａ，５７ｂ，５７ｃ，５７ｄとしては、例えば積水化学工業株式会社製の商品名「フィブロック」を用いることができる。
このように本サッシは、火災時に下框４１ａ，４１ｂと下枠５のレール９，１０の隙間、戸先框４２ａ，４２ｂと竪枠６の隙間、内外障子の召し合せ框４３ａ，４３ｂの隙間が耐火材５７ａ，５７ｂ，５７ｃ，５７ｄによってそれぞれ塞がれるので、下框４１ａ，４１ｂと下枠５間、戸先框４２ａ，４２ｂと竪枠６間、及び内外障子の召し合せ框４３ａ，４３ｂ間から熱風や煙等が室外から室内へ又は室内から室外へ侵入するのを防ぎ、防火性能を向上できる。
【００３８】
本発明は以上に述べた実施形態に限定されない。下枠５の断面形状は適宜変更することができ、下枠５上面に突出したレール９，１０を有しないノンレール引違いサッシにも適用することができる。不燃材２２は、サッシ枠１の内周側の四面のうちの少なくともいずれか一つの面に設けてあればよい。下枠５の補強材２３は、必ずしも設けなくてもよい。本発明は、障子が２枚建の引違いサッシに限らず、障子が３枚建てや４枚建ての引違いサッシにも適用できる。また、外障子２と内障子３の何れか一方をサッシ枠１に固定した、片引きサッシにも適用できる。本発明は、サッシ枠と障子を備えたあらゆるサッシに適用することができ、障子を左右方向にスライドさせて開閉するものに限らず、例えば上げ下げ窓、障子が回動ないしすべり出して開く窓、嵌め殺し窓等にも適用できる。
【符号の説明】
【００３９】
１  サッシ枠
２  外障子
３  内障子
５  下枠
５ａ  室外側下枠材（室外側枠材）
５ｂ  室内側下枠材（室内側枠材）
７  断熱材
９  外レール
１０  内レール
１１  水抜き孔
１２  中空部
１３  排水孔
１５，１６  耐火材
１７，１８  耐火材取付部材
２２  不燃シート（不燃材）
２３  補強材
２３ａ  下枠上面当接部
２３ｂ  外レール補強部
２３ｃ  外レール受け部
２３ｄ  傾斜部
２４  ネジ（固着具）
２５  係止部
２７  樹脂カバー
３２  ガス抜き部
６０  連結材
６２  内レールの水抜き孔
６３  ベース材
【図１】
0005595889.tif 000002
【図２】
0005595889.tif 000003
【図３】
0005595889.tif 000004
【図４】
0005595889.tif 000005
【図５】
0005595889.tif 000006
【図６】
0005595889.tif 000007
【図７】
0005595889.tif 000008
【図８】
0005595889.tif 000009
【図９】
0005595889.tif 000010
【図１０】
0005595889.tif 000011
【図１１】
0005595889.tif 000012
【図１２】
0005595889.tif 000013
【図１３】
0005595889.tif 000014
【図１４】
0005595889.tif 000015
【図１５】
0005595889.tif 000016